Podtech/llm-jp-corpus-v4-ja_patent huggingface dataset:
【手続補正書】
【提出日】平成30年1月5日(2018.1.5)
【手続補正１】
【補正対象書類名】特許請求の範囲
【補正対象項目名】全文
【補正方法】変更
【補正の内容】
【特許請求の範囲】
【請求項１】
14〜25個のアミノ酸残基からなるペプチドを少なくとも1つ含むワクチンであって、該ペプチドは、アミノ酸配列PEEDGTRFHRQASK（配列番号：1）を含むヒトPCSK9タンパク質のフラグメントの変異体であって、アミノ酸配列PEEDGTRFHRQASK（配列番号：1）領域に対応する部分にのみ１以上の変異を有し、該領域がPEEDGTRFHRRASK（配列番号：17）、PEEDGTRFHRKASK（配列番号：18）、PEEDGTRFHRTASK（配列番号：36）、PEEDGSRFHKQASK（配列番号：41）およびPEEDGSRFHRQATK（配列番号：44）からなる群から選択される、ワクチン。
【請求項２】
PEEDGTRFHRRASK（配列番号：17）、PEEDGTRFHRKASK（配列番号：18）、PEEDGTRFHRTASK（配列番号：36）、PEEDGSRFHKQASK（配列番号：41）、およびPEEDGSRFHRQATK（配列番号：44）からなる群から選択される、少なくとも1つのペプチドを含む、ワクチン。
【請求項３】
少なくとも1つの前記ペプチドが、PEEDGTRFHRQASK（配列番号：1）と比較して、哺乳動物において、総コレステロールのレベルを減少させる増強された能力を有する、請求項1または2に記載のワクチン。
【請求項４】
少なくとも1つの前記ペプチドが、医薬的に許容しうる担体に結合または融合している、請求項1〜3のいずれか1つに記載のワクチン。
【請求項５】
少なくとも1つのペプチドが、そのN末端および／またはC末端に、それに直接結合するか、またはスペーサー配列を介して結合する少なくとも1つのシステイン残基をさらに含む、請求項1〜4のいずれか1つに記載のワクチン。
【請求項６】
医薬的に許容しうる担体が、タンパク質担体である、請求項4または5に記載のワクチン。
【請求項７】
タンパク質担体が、キーホールリンペットヘモシアニン（KLH）、破傷風トキソイド（TT）、CRM197、プロテインD、およびジフテリア毒素（DT）からなる群から選択される、請求項6に記載のワクチン。
【請求項８】
タンパク質担体が、突然変異ジフテリア毒素、CRM197、およびKLHからなる群から選択される、請求項6または7に記載のワクチン。
【請求項９】
ワクチンが、アジュバントとともに製剤される、請求項1〜8のいずれか1つに記載のワクチン。
【請求項１０】
ワクチンが、Al（OH）3（アルヒドロゲル）とともに製剤される、請求項1〜9のいずれか1つに記載のワクチン。
【請求項１１】
血漿LDLコレステロールレベルの減少に使用される、請求項1〜10のいずれか1つに記載のワクチン。
【請求項１２】
高脂血症、高コレステロール血症および/またはアテローム性動脈硬化症によって引き起こされる障害、あるいはPCSK9に関連する腫瘍性疾患の治療および／または予防のための、請求項1〜11のいずれか1つに記載のワクチン。
【請求項１３】
心血管疾患、脳卒中、末梢血管疾患、黒色腫または肝癌転移の治療および／または予防のための、請求項1〜12のいずれか1つに記載のワクチン。
【請求項１４】
14〜25個のアミノ酸残基からなるペプチドであって、該ペプチドは、アミノ酸配列PEEDGTRFHRQASK（配列番号：1）を含むヒトPCSK9タンパク質のフラグメントの変異体であって、アミノ酸配列PEEDGTRFHRQASK（配列番号：1）領域に対応する部分にのみ、PEEDGTRFHRQASK（配列番号：1）と比較して少なくとも1つ、多くとも4つのアミノ酸交換を有し、該領域がPEEDGTRFHRRASK（配列番号：17）、PEEDGTRFHRKASK（配列番号：18）、PEEDGTRFHRTASK（配列番号：36）、PEEDGSRFHKQASK（配列番号：41）、およびPEEDGSRFHRQATK（配列番号：44）からなる群から選択される、ペプチド。
【請求項１５】
PEEDGTRFHRRASK（配列番号：17）、PEEDGTRFHRKASK（配列番号：18）、PEEDGTRFHRTASK（配列番号：36）、PEEDGSRFHKQASK（配列番号：41）、およびPEEDGSRFHRQATK（配列番号：44）からなる群から選択される、ペプチド。
【請求項１６】
ペプチドが、PEEDGTRFHRQASK（配列番号：1）と比較して、哺乳動物において、総コレステロールのレベルを減少させる増強された能力を有する、請求項14または15に記載のペプチド。
【請求項１７】
ペプチドが、14〜20個のアミノ酸残基からなる、請求項14または16に記載のペプチド。
【請求項１８】
血漿LDLコレステロールレベルの減少の誘導のための、請求項14〜17のいずれか1つに記載のペプチドを含有する、医薬組成物。
【請求項１９】
高脂血症、高コレステロール血症および／またはアテローム性動脈硬化症によって引き起こされる障害を患っているか、または発症するリスクのある患者の治療用の請求項14〜17のいずれか1つに記載のペプチドを含有する、医薬組成物。
【手続補正書】
【提出日】平成30年1月5日(2018.1.5)
【手続補正１】
【補正対象書類名】特許請求の範囲
【補正対象項目名】全文
【補正方法】変更
【補正の内容】
【特許請求の範囲】
【請求項１】
圧延された６０００系アルミニウム合金製品であって、
０．３０〜０．５３重量％のＳｉと、
０．５０〜０．６５重量％のＭｇと
（ここで、Ｍｇの重量％のＳｉの重量％に対する比は少なくとも１．０：１（Ｍｇ：Ｓｉ）である）、
０．０５〜０．２４重量％のＣｕと、
０．０５〜０．１４重量％のＭｎと、
０．０５〜０．２５重量％のＦｅと、
最大で０．１５重量％のＴｉと、
最大で０．１５重量％のＺｎと、
最大で０．１５重量％のＺｒと、
０．０４重量％以下のＶと、
０．０４重量％以下のＣｒと、
からなり、残部はアルミニウム及び他の元素であって、前記他の元素のそれぞれは前記６０００系アルミニウム合金中０．１０重量％を超えず、前記他の元素の合計量は前記６０００系アルミニウム合金中０．３０重量％以下である、圧延された６０００系アルミニウム合金製品。
【請求項２】
０．３５〜０．５０重量％のＳｉを有する、請求項１に記載の圧延された６０００系アルミニウム合金製品。
【請求項３】
０．４０〜０．５０重量％のＳｉを有する、請求項１に記載の圧延された６０００系アルミニウム合金製品。
【請求項４】
０．５５〜０．６５重量％のＭｇを有する、請求項１に記載の圧延された６０００系アルミニウム合金製品。
【請求項５】
Ｍｇの重量％のＳｉの重量％に対する比が少なくとも１．０５：１である、請求項１〜４のいずれか一項に記載の圧延された６０００系アルミニウム合金製品。
【請求項６】
Ｍｇの重量％のＳｉの重量％に対する比が少なくとも１．１０：１である、請求項１〜４のいずれか一項に記載の圧延された６０００系アルミニウム合金製品。
【請求項７】
Ｍｇの重量％のＳｉの重量％に対する比が少なくとも１．２０：１である、請求項１〜４のいずれか一項に記載の圧延された６０００系アルミニウム合金製品。
【請求項８】
Ｍｇの重量％のＳｉの重量％に対する比が少なくとも１．３０：１である、請求項１〜４のいずれか一項に記載の圧延された６０００系アルミニウム合金製品。
【請求項９】
Ｍｇの重量％のＳｉの重量％に対する比が１．７５：１以下である、請求項１〜４のいずれか一項に記載の圧延された６０００系アルミニウム合金製品。
【請求項１０】
０．２２重量％以下のＣｕを有する、請求項１〜１０のいずれか一項に記載の圧延された６０００系アルミニウム合金製品。
【請求項１１】
０．２０重量％以下のＣｕを有する、請求項１〜１０のいずれか一項に記載の圧延された６０００系アルミニウム合金製品。
【請求項１２】
０．１９重量％以下のＣｕを有する、請求項１〜１０のいずれか一項に記載の圧延された６０００系アルミニウム合金製品。
【請求項１３】
少なくとも０．０７重量％のＣｕを有する、請求項１〜１２のいずれか一項に記載の圧延された６０００系アルミニウム合金製品。
【請求項１４】
少なくとも０．０９重量％のＣｕを有する、請求項１〜１２のいずれか一項に記載の圧延された６０００系アルミニウム合金製品。
【請求項１５】
少なくとも０．１１重量％のＣｕを有する、請求項１〜１２のいずれか一項に記載の圧延された６０００系アルミニウム合金製品。
【請求項１６】
０．０６〜０．１３重量％のＭｎを有する、請求項１〜１５のいずれか一項に記載の圧延された６０００系アルミニウム合金製品。
【請求項１７】
０．０７〜０．１２重量％のＭｎを有する、請求項１〜１５のいずれか一項に記載の圧延された６０００系アルミニウム合金製品。
【請求項１８】
それぞれ０．０３重量％以下のＶ及びＣｒを有する、請求項１〜１７のいずれか一項に記載の圧延された６０００系アルミニウム合金製品。
【請求項１９】
０．０２重量％以下のＶを有する、請求項１〜１８のいずれか一項に記載の圧延された６０００系アルミニウム合金製品。
【請求項２０】
０．０２重量％以下のＣｒを有する、請求項１〜１９のいずれか一項に記載の圧延された６０００系アルミニウム合金製品。
【請求項２１】
請求項１〜２０のいずれか一項に記載の６０００系アルミニウム合金のインゴットを鋳造する工程、
前記インゴットを均質化する工程、
前記インゴットを圧延して１．５〜４．０ｍｍの最終ゲージを有する圧延製品にする工程、
前記圧延製品を溶液熱処理する工程であって、前記溶液熱処理が、前記圧延製品の実質的に全てのＭｇ２Ｓｉが固溶体に溶解するような温度及び時間で前記圧延製品を加熱する工程を含む、工程、
前記溶液加熱処理後に、前記圧延製品を急冷する工程
を含む、方法。
【請求項２２】
前記圧延製品を人工的に時効処理する工程を含む、請求項２１に記載の方法。
【請求項２３】
前記急冷が冷水急冷を含む、請求項２１又は２２に記載の方法。
【請求項２４】
請求項１〜２０のいずれか一項に記載の６０００系アルミニウム合金を連続鋳造する工程、
前記アルミニウム合金を圧延して１．５〜４．０ｍｍの最終ゲージを有する圧延製品にする工程、
前記圧延製品を溶液熱処理する工程であって、前記溶液熱処理が、前記圧延製品の実質的に全てのＭｇ２Ｓｉが固溶体に溶解するような温度及び時間で前記圧延製品を加熱する工程を含む、工程、
前記溶液加熱処理後に、前記圧延製品を急冷する工程
を含む、方法。
【手続補正書】
【提出日】平成30年3月5日(2018.3.5)
【手続補正１】
【補正対象書類名】特許請求の範囲
【補正対象項目名】全文
【補正方法】変更
【補正の内容】
【特許請求の範囲】
【請求項１】
ポリマーおよびポリマー用溶媒を含む組成物であって、
−  ポリマーが少なくとも０．１５ＭＰａの伸張応力Ｆ（１５０／１０）を有し、
−  ポリマーがポリオレフィンであり、および
−  組成物が、ポリマーの結晶化温度より１０℃未満低い結晶化温度を有する、当該組成物。
【手続補正書】
【提出日】平成30年1月19日(2018.1.19)
【手続補正１】
【補正対象書類名】特許請求の範囲
【補正対象項目名】全文
【補正方法】変更
【補正の内容】
【特許請求の範囲】
【請求項１】
６０〜１００℃のＴｇを有する第１ポリマー及び−１０℃〜２５℃のＴｇを有する第２ポリマーを含む架橋性アクリレートポリマー組成物であって、前記組成物が１〜３０ｍｇ  ＫＯＨ／ｇの酸価を有するか、又は前記組成物が１〜３９ｍｇ  ＫＯＨ／ｇの酸価を有し且つ第１ポリマー及び第２ポリマーのうち少なくとも１つが前記組成物の重量を基準として０．１〜５重量％の架橋性官能基を有するモノマー単位を含み、ここで、第１ポリマー及び第２ポリマーが、それぞれ独立して、メチルアクリル酸、アクリル酸、イタコン酸、ブテン酸、ペンテン酸、又はそれらの任意の２以上の組み合わせから誘導されるモノマー単位を含み、またここで、当該組成物は架橋剤を含む、前記架橋性アクリレートポリマー組成物。
【請求項２】
１〜２２ｍｇ  ＫＯＨ／ｇの酸価を有する、請求項１に記載の架橋性アクリレートポリマー組成物。
【請求項３】
モノマー単位がジアセトンアクリルアミド、アセトアセトキシ基及びビニル基を有する化合物、又はそれらの組み合わせから誘導される、請求項１又は２に記載の架橋性アクリレートポリマー組成物。
【請求項４】
アセトアセトキシ基及びビニル基を有する化合物が２−（アセトアセトキシ）エチルメタクリレートである、請求項３に記載の架橋性アクリレートポリマー組成物。
【請求項５】
第１ポリマーが、４０〜１００重量％のハードモノマー単位及び０〜６０重量％のソフトモノマー単位を含み、第２のポリマーが５〜３５重量％のハードモノマー単位及び６５〜９５重量％のソフトモノマー単位を含み、前記ハードモノマー単位が、スチレン、メチルメタクリレート、アルファメチルスチレン、ｎ−ブチルメタクリレート及びエチルメタクリレートからなる群から誘導され、前記ソフトモノマー単位が、ブチルアクリレート、２−エチルヘキシルアクリレート、エチルアクリレート及びｎ−プロピルアクリレートからなる群から誘導される、請求項１から４までのいずれか１項に記載の架橋性アクリレートポリマー組成物。
【請求項６】
第１ポリマーが５０〜８０℃のＴｇを有する、請求項１から５までのいずれか１項に記載の架橋性アクリレートポリマー組成物。
【請求項７】
第２ポリマーが−５〜１５℃のＴｇを有する、請求項１から６までのいずれか１項に記載の架橋性アクリレートポリマー組成物。
【請求項８】
組成物が、５０〜１２０ｎｍの粒径を有する粒子を有する、請求項１から７までのいずれか１項に記載の架橋性アクリレートポリマー組成物。
【請求項９】
第１ポリマーの含有率が、組成物の重量を基準として、３５〜８０重量％であり、第２ポリマーの含有率が、組成物の重量を基準として、２０〜６５重量％である、請求項１から８までのいずれか１項に記載の架橋性アクリレートポリマー組成物。
【請求項１０】
第１ポリマーの含有率が、組成物の重量を基準として、３５〜７５重量％であり、第２ポリマーの含有率が、組成物の重量を基準として、２５〜６５重量％である、請求項１から９までのいずれか１項に記載の架橋性アクリレートポリマー組成物。
【請求項１１】
架橋剤の含有率が組成物の重量を基準として０．０５〜２．５重量％である、請求項１から１０までのいずれか１項に記載の架橋性アクリレートポリマー組成物。
【請求項１２】
請求項１から１１までのいずれか１項に記載の架橋性アクリレートポリマー組成物を含むプライマー。
【請求項１３】
プライマーが合体剤、消泡剤、湿潤剤、ワックス、水又はそれらの混合物を更に含む、請求項１２に記載のプライマー。
【請求項１４】
合体剤の含有率がプライマーの全重量を基準として０〜５％である、請求項１３に記載のプライマー。
【請求項１５】
ビール瓶ラベル紙を製造するための請求項１２から１４までのいずれか１項に記載のプライマーの使用。
【手続補正書】
【提出日】平成30年1月12日(2018.1.12)
【手続補正１】
【補正対象書類名】特許請求の範囲
【補正対象項目名】全文
【補正方法】変更
【補正の内容】
【特許請求の範囲】
【請求項１】
圧縮式冷却、空調又はヒートポンプシステムに使用される作動流体であって、（Ａ）フルオロオレフィンを含む冷媒、及び（Ｂ）ポリオールエステル及びポリオキシアルキレングリコールの５０：５０〜８０：２０の重量比の混合物を含む潤滑剤を含有し；該ポリオールエステルが、多価アルコールと炭素数がＣ５〜Ｃ１５の範囲内の酸との反応によって製造されるポリオールエステルであり；該ポリオキシアルキレングリコールが、式
ＲＸ（ＲａＯ）ｙＲｂのポリオキシアルキレングリコールである作動流体、
ここで：
Ｒは、５個未満の炭素原子を含むアルキル基であり、
Ｘ＝Ｏ、
Ｒａは、Ｃ３のアルキレン基であり、
Ｒｂは、水素であり、そして
ｙは、５〜１００の範囲内の整数である。
【請求項２】
ポリオールエステル対ポリアルキレングリコールの重量比が、５０：５０、７５：２５又は８０：２０である請求項１に記載の作動流体。
【請求項３】
ポリオールエステルが、ネオペンチルグリコール、トリメチロールプロパン及びペンタエリスリトール又はこれらの二量体及び三量体から選ばれる一種以上の多価アルコールと、炭素数がＣ５〜Ｃ１５の一種以上の一塩基酸との反応によって製造される請求項１又は請求項２に記載の作動流体。
【請求項４】
ポリオールエステル及びポリオキシアルキレングリコールに加えて、その潤滑剤が、極圧添加剤、耐磨耗添加剤、抗酸化剤、抗腐食剤、金属不動態化剤、消泡剤及び酸性度調節剤から選ばれる一種以上の添加剤をも含有している請求項１〜３のいずれかの請求項に記載の作動流体。
【請求項５】
フルオロオレフィンが、ハイドロフルオロオレフィンである請求項１〜４のいずれかの請求項に記載の作動流体。
【請求項６】
冷媒が、フルオロオレフィンに加えて、ハイドロフルオロカーボン類、二酸化炭素、ヨードトリフルオロメタン、パーフルオロケトン類、ハイドロフルオロケトン類、ハイドロクロロフルオロケトン類、及びハイドロクロロフルオロオレフィン類から選ばれる一種以上の追加冷媒を含んでいる請求項１〜５のいずれかの請求項に記載の作動流体。
【請求項７】
冷媒が、２，３，３，３−テトラフルオロプロプ−１−エンであるハイドロフルオロオレフィン及びトランス−１，３，３，３−テトラフルオロプロプ−１−エンであるハイドロフルオロオレフィンの少なくとも一種を、任意にハイドロフルオロカーボン冷媒と共に、含んでいる請求項１〜６のいずれかの請求項に記載の作動流体。
【請求項８】
請求項１〜７のいずれかの請求項に記載の作動流体を含むコンプレッサを含有する、圧縮冷却、空調又はヒートポンプシステム。
【請求項９】
圧縮冷却、空調又はヒートポンプシステムにおいて用いる潤滑剤であって、ポリオールエステル及びポリオキシアルキレングリコールの５０：５０〜８０：２０の重量比の混合物を含有し；該ポリオールエステルが、多価アルコールと炭素数がＣ５〜Ｃ１５の範囲内の酸との反応によって製造されるポリオールエステルであり；該ポリオキシアルキレングリコールが、式
ＲＸ（ＲａＯ）ｙＲｂのポリオキシアルキレングリコールである潤滑剤、
ここで：
Ｒは、５個未満の炭素原子を含むアルキル基であり、
Ｘ＝Ｏ、
Ｒａは、Ｃ３のアルキレン基であり、
Ｒｂは、水素であり、そして
ｙは、５〜１００の範囲内の整数である。
【請求項１０】
請求項２〜４のいずれかの請求項において特定された特徴を有する請求項９に記載の潤滑剤。
【請求項１１】
フルオロオレフィンを含有する冷媒と共に、圧縮冷却、空調又はヒートポンプシステムにおいて用いる、請求項９又は請求項１０に記載の潤滑剤。
【手続補正書】
【提出日】平成29年12月21日(2017.12.21)
【手続補正１】
【補正対象書類名】特許請求の範囲
【補正対象項目名】全文
【補正方法】変更
【補正の内容】
【特許請求の範囲】
【請求項１】
炭素数１６〜４０を有するアルキル（メタ）アクリレート化合物、炭素数１〜４０を有するアルキル（メタ）アクリレート化合物、及び（メタ）アクリロイル官能基又はメルカプト官能基を含み１〜３個の炭素原子を含有するアルキル部分を含む少なくとも１つのアルコキシシラン化合物の反応生成物として形成される、少なくとも１種の湿気硬化性の半結晶性（メタ）アクリルオリゴマーの組成物を含む接着性物品であって、前記組成物が少なくとも部分的に硬化して基材上の接着剤層と反対側の低接着性バックサイズ又は基材のプライマー層に適用された低表面エネルギー接着剤用のプライマー層を生成する組成物である接着性物品。
【請求項２】
少なくとも１種の前記湿気硬化性の半結晶性（メタ）アクリルオリゴマーが次式で表される、請求項１に記載の物品。
【化１】
2017508825.tif 000001
式中、
Ｒ１は、独立してＣ１６〜Ｃ４０アルキル基であり、
Ｒ２は、独立してＣ１〜Ｃ４０アルキル基であり、
各Ｒ３は、独立してメチル、エチル、又はイソプロピル基であり、
Ｘは、四臭化炭素、ヘキサンブロモエタン、ブロモトリクロロメタン、２−メルカプトエタノール、ｔ−ドデシルメルカプタン、イソオクチルチオグリコレート、３−メルカプト−１，２−プロパンジオール、クメン、及びこれらの混合物からなる群から選択される連鎖移動剤から連鎖移動により誘導され、
Ｙは、独立してメチル、エチル、又はイソプロピル基であるよう選択され、
ａ、ｂ及びｃは、それぞれ独立して少なくとも１０、及びａ＋ｂ＋ｃ＜１５００の整数であるよう選択され、
ｎ＞１：及び
ｐは０、１、２、又は３である。
【請求項３】
Ｒ１が炭素数１６〜３０を有するアルキル（メタ）アクリレートを含む、請求項２に記載の物品。
【請求項４】
Ｒ２が炭素数１〜１５を有するアルキル（メタ）アクリレート、炭素数１６〜４０を有するアルキル（メタ）アクリレート、ポリ（エチレン）グルコール官能アルキル（メタ）アクリレート、ポリ（プロピレン）グリコール官能アルキル（メタ）アクリレート、ウレタン官能アルキル（メタ）アクリレート、エポキシ官能アルキル（メタ）アクリレート、又はこれらの組み合わせからなる群から選択される、少なくとも１つのモノマーを含む、請求項３に記載の物品。
【請求項５】
少なくとも１つのＲ３が別のＲ３と異なるように選択される、請求項２〜４のいずれか一項に記載の物品。
【請求項６】
ｎが１５００以下である、請求項２〜５のいずれか一項に記載の物品。
【請求項７】
少なくとも１種の前記湿気硬化性の半結晶性（メタ）アクリルオリゴマーが１０，０００Ｄａ以下の重量平均分子量を有する、請求項１〜６のいずれか一項に記載の物品。
【手続補正書】
【提出日】平成30年3月5日(2018.3.5)
【手続補正１】
【補正対象書類名】特許請求の範囲
【補正対象項目名】全文
【補正方法】変更
【補正の内容】
【特許請求の範囲】
【請求項１】
（ａ）３０〜９０重量％、好ましくは５０〜８５重量％の、少なくとも１つの芳香族エポキシ樹脂；
（ｂ）２〜３０重量％、好ましくは５〜１５重量％の、強化剤としての少なくとも１つのコア-シェルゴム；
（ｃ）１〜２０重量％、好ましくは５〜１０重量％の、エポキシ基、カルボキシレート基、アミノ基および／またはヒドロキシル基の中から選択される反応性官能基を含む少なくとも１つの軟化剤；および
（ｄ）１〜４重量％、好ましくは１．５〜２．５重量％の、少なくとも１つのカチオン性光開始剤、好ましくはスルホニウム塩および／またはヨードニウム塩を含むカチオン性光開始剤
を含む光硬化性エポキシ樹脂組成物。
【請求項２】
芳香族エポキシ樹脂は、ビスフェノールＡ、Ｆおよび／またはＳに基づくジグリシジルエーテルならびにエポキシノボラックから、特にビスフェノールＡジグリシジルエーテルおよびビスフェノールＦジグリシジルエーテルから選択されることを特徴とする、請求項１に記載の光硬化性エポキシ樹脂組成物。
【請求項３】
コア-シェルゴムは、ポリブタジエンから形成されるコアおよびポリブタジエン、ポリスチレンまたはポリブタジエン-ポリスチレンコポリマーから形成されるシェルを有するコア-シェルゴムから選択され、コア-シェルゴムは、場合によりマトリックス中に分散してよく、マトリックスは好ましくは、芳香族エポキシ樹脂、特にビスフェノールＡ、Ｆおよび／またはＳに基づくジグリシジルエーテルならびにエポキシノボラックから選択されることを特徴とする、請求項１または２に記載の光硬化性エポキシ樹脂組成物。
【請求項４】
前記少なくとも１つの軟化剤は、２０℃未満、好ましくは０℃未満、さらにより好ましくは−３０℃未満、非常に好ましくは−５０℃未満のガラス転移温度を有するポリマーまたはオリゴマー、特にポリエステルポリオール、ポリエーテルポリオールまたはポリエステル／ポリエーテルポリオールであることを特徴とする、請求項１〜３のいずれかに記載の光硬化性エポキシ樹脂組成物。
【請求項５】
前記少なくとも１つの軟化剤は、エポキシ基を含んでなり、特にフェノールのモノグリシジルエーテルまたは一塩基性または二塩基性のカルボン酸の（３，４−エポキシシクロヘキサン−１−イル）メチルエステルであることを特徴とする、請求項１〜３のいずれかに記載の光硬化性エポキシ樹脂組成物。
【請求項６】
前記少なくとも１つの軟化剤は、ポリテトラメチレンエーテルグリコール、ポリカプロラクトンジオールまたはトリオール、カルダノールグリシジルエーテルおよびジカルボン酸ビス（（３，４−エポキシシクロヘキシル）メチル）エステル、特にビス（（３，４−エポキシシクロヘキシル）メチル）アジペートからなる群から選択されることを特徴とする、請求項１〜５のいずれかに記載の光硬化性エポキシ樹脂組成物。
【請求項７】
光開始剤はスルホニウム塩およびヨードニウム塩から選択され、その対イオンは、ヘキサフルオロアンチモネート、ヘキサフルオロホスフェート、および（テトラキス（ペンタフルオロアリール）ボレートの中から、特にトリアリールスルホニウム塩およびビス（アルキルフェニル）ヨードニウム塩の中から選択されることを特徴とする、請求項１〜６のいずれかに記載の光硬化性エポキシ樹脂組成物。
【請求項８】
前記組成物は：
（ｉ）好ましくは０．１〜１０重量％、特に好ましくは０．５〜２．５重量％の量の、補強助剤；および／または
（ｉｉ）好ましくは０．１〜１０重量％、特に好ましくは５〜１０重量％の量の、反応性希釈剤；および／または
（ｉｉｉ）好ましくは０．１〜３重量％、特に好ましくは０．５〜２重量％の量の、接着促進剤
も含むことを特徴とする、請求項１〜７のいずれかに記載の光硬化性エポキシ樹脂組成物。
【請求項９】
反応性希釈剤は、脂肪族または芳香族アルコールの、特にC12/C14脂肪アルコールおよびアルキルフェノールの、好ましくはパラ-tert-ブチルフェノールの、モノグリシジルエーテル、およびオキセタン、特にトリメチロールプロパンオキセタン（ＴＭＰＯ）から選択されることを特徴とする、請求項８に記載の光硬化性エポキシ樹脂組成物。
【請求項１０】
接着促進剤は、キレート-変性エポキシ樹脂およびエポキシ-変性シランから選択されることを特徴とする、請求項８または９に記載の光硬化性エポキシ樹脂組成物。
【請求項１１】
補強助剤は、ポリエーテルポリオール、特にポリエーテルポリオールブロックコポリマーから選択され、好ましくは、コポリマーの一方のブロックはエポキシ樹脂中において溶解性でなく、他方のブロックはエポキシ樹脂中において溶解性であり、２相が形成されることを特徴とする、請求項８〜１０のいずれかに記載の光硬化性エポキシ樹脂組成物。
【請求項１２】
シーリング材料としての、特に電気化学的腐食に対する保護のためのシーリング金属含有電線または電気接点のための、請求項１〜１１のいずれかに記載の光硬化性エポキシ樹脂組成物の使用。
【請求項１３】
電気化学的腐食に対する保護のための金属含有電線または電気接点のシーリング方法であって：
（ｉｉｉ）請求項１〜１１のいずれかに記載の光硬化性エポキシ樹脂組成物をフィルム形状において金属含有電線または電気接点に付与する工程；および
（ｉｖ）露光によりフィルムを硬化する工程
を含む方法。
【請求項１４】
金属含有電線または電気接点はアルミニウムを含む又はからなることを特徴とする、請求項１２に記載の使用または請求項１３に記載の方法。
【手続補正２】
【補正対象書類名】明細書
【補正対象項目名】００９６
【補正方法】変更
【補正の内容】
【００９６】
本発明による組成物を調製するために、ベース樹脂および強化剤を攪拌機中で真空下、室温でブレンドした。軟化剤および、場合により、反応性希釈剤を混合物に添加し、再度真空下で撹拌した。次に、光開始剤を添加し、真空下で撹拌した。接着促進剤を添加した場合、これは最終工程で添加し、混合物を再度室温、真空下で混合した。
【手続補正３】
【補正対象書類名】明細書
【補正対象項目名】０１１７
【補正方法】変更
【補正の内容】
【０１１７】
製造したフィルムは、軟化剤および補強助剤を用いない場合、柔軟性および靱性が低下することを示す。ここで、高い柔軟性および靱性は、軟化剤または軟化剤と補強助剤との組み合わせのいずれかの影響下において得ることができる。光開始剤UV-2257の使用は、再度、より高い靱性を有する比較的より柔軟性のフィルムをもたらす。
【手続補正書】
【提出日】平成30年1月19日(2018.1.19)
【手続補正１】
【補正対象書類名】特許請求の範囲
【補正対象項目名】全文
【補正方法】変更
【補正の内容】
【特許請求の範囲】
【請求項１】
（Ａ）コロイダルもしくはフュームド無機粒子、またはそれらの混合物、
（Ｂ）ポリ（アミノ酸）およびまたはその塩、
（Ｃ）糖、ならびに
（Ｍ）水性媒体
を含む、化学機械研磨（ＣＭＰ）組成物。
【請求項２】
無機粒子（Ａ）がコロイダル粒子である、請求項１に記載のＣＭＰ組成物。
【請求項３】
無機粒子（Ａ）がフュームド粒子である、請求項１に記載のＣＭＰ組成物。
【請求項４】
無機粒子（Ａ）がセリア粒子である、請求項１から３のいずれか一項に記載のＣＭＰ組成物。
【請求項５】
粒子（Ａ）の平均粒子径が、動的光散乱技術で測定して、２０ｎｍから２００ｎｍまでである、請求項１から４のいずれか一項に記載のＣＭＰ組成物。
【請求項６】
ポリ（アミノ酸）（Ｂ）が、ポリ（アスパラギン酸）、ポリ（グルタミン酸）、ポリ（リシン）、アスパラギン酸−グルタミン酸共重合体、アスパラギン酸−リシン共重合体、もしくはグルタミン酸−リシン共重合体、またはそれらの塩、またはそれらの混合物である、請求項１から５のいずれか一項に記載のＣＭＰ組成物。
【請求項７】
ポリ（アミノ酸）（Ｂ）が、ポリ（アスパラギン酸）およびまたはその塩である、請求項１から６のいずれか一項に記載のＣＭＰ組成物。
【請求項８】
糖（Ｃ）が、単、ニ、三、四、五、六、七、八糖、もしくはそれらの酸化誘導体、もしくはそれらの還元誘導体、もしくはそれらの置換誘導体、またはそれらの混合物である、請求項１から７のいずれか一項に記載のＣＭＰ組成物。
【請求項９】
糖（Ｃ）が、グルコース、ガラクトース、サッカロース、もしくはスクラロース、もしくはそれらの誘導体および立体異性体、またはそれらの混合物である、請求項１から８のいずれか一項に記載のＣＭＰ組成物。
【請求項１０】
前記組成物のｐＨ値が４から９までの範囲内である、請求項１から９のいずれか一項に記載のＣＭＰ組成物。
【請求項１１】
請求項１から１０のいずれか一項に記載のＣＭＰ組成物の存在下で基板を化学機械研磨する工程を含む、半導体素子の製造方法。
【請求項１２】
半導体産業で使用される基板の化学機械研磨に、請求項１から１０のいずれか一項に記載のＣＭＰ組成物を使用する方法。
【請求項１３】
前記基板が、
（ｉ）二酸化ケイ素、および
（ｉｉ）窒化ケイ素またはポリシリコン
を含む、請求項１２に記載の方法。
【手続補正書】
【提出日】平成29年12月11日(2017.12.11)
【手続補正１】
【補正対象書類名】特許請求の範囲
【補正対象項目名】全文
【補正方法】変更
【補正の内容】
【特許請求の範囲】
【請求項１】
銀ナノ構造体を作製する方法であって、少なくとも１種のポリオールと、還元されると銀金属を生成することができる少なくとも１種の銀化合物とを、
（ａ）塩化物または臭化物イオンの供給源、
（ｂ）
（ｉ）構成繰り返し単位当たり少なくとも１つのペンダント飽和または不飽和の５、６、または７員アシルアミノまたはジアシルアミノ含有ヘテロ環式環部分をそれぞれ独立して含む１つ以上の第１の構成繰り返し単位、および
（ｉｉ）１つ以上の第２の構成繰り返し単位であって、それらのそれぞれが１つ以上の第１の構成繰り返し単位とは独立して異なる、第２の構成繰り返し単位
を含み、かつ１モル当たり約５００グラム以上の分子量を有する、少なくとも１種のコポリマー；ならびに
（ｃ）少なくとも１種の酸捕捉剤
の存在下で反応させることを含む方法。
【請求項２】
コポリマーの第１の構成繰り返し単位がそれぞれ独立して、ピロリドニル部分またはピロリジンジオニル部分を含み、コポリマーの第２の構成繰り返し単位がそれぞれ独立して、カチオン性部分を含む、請求項１に記載の方法。
【請求項３】
コポリマーが、約８０〜１００重量部未満のビニルピロリドンと０超〜約２０重量部のジアリルジメチルアンモニウム塩とを含むモノマー混合物のフリーラジカル重合によって作製されたランダムコポリマーである、請求項１に記載の方法。
【請求項４】
少なくとも１種の銀化合物が硝酸銀を含み、少なくとも１種のポリオールがエチレングリコールまたはグリセロールを含み、少なくとも１種の酸捕捉剤がＬｉＯＨ、Ｎａ２Ｓ、Ｃａ（ＯＨ）２、ビシン、またはそれらの混合物を含み、反応混合物に添加される硝酸銀の全量が、反応混合物１リットル当たり１．５×１０−３モル〜約１モルの硝酸銀であり、反応が、反応混合物の重量に基づいて、約０．０１重量％〜約５０重量％の前記コポリマーの存在下で行われる、請求項１に記載の方法。
【請求項５】
酸捕捉剤が、塩基、緩衝剤、またはそれらの混合物を含む、請求項１に記載の方法。
【請求項６】
酸捕捉剤が、塩基を含む、請求項５に記載の方法。
【請求項７】
塩基が、水酸化物イオンの供給源、硫化物イオンの供給源、またはそれらの混合物を含む、請求項６に記載の方法。
【請求項８】
水酸化物イオンの供給源が、アルカリ金属水酸化物、アルカリ土類金属水酸化物、またはそれらの混合物である、請求項７に記載の方法。
【請求項９】
酸捕捉剤が、緩衝剤を含む、請求項５に記載の方法。
【請求項１０】
少なくとも１種のポリオールと少なくとも１種の銀化合物とを反応させる前に、少なくとも１種のポリオールを蒸留する工程をさらに含む、請求項１に記載の方法。
【請求項１１】
請求項１の方法によって作製された銀ナノ構造体。
【請求項１２】
銀ナノ構造体を作製する方法であって、
（１）
（ａ）少なくとも１種のポリオール；
（ｂ）塩化物または臭化物イオンの供給源；
（ｃ）
（ｉ）構成繰り返し単位当たり少なくとも１つのペンダント飽和または不飽和の５、６または７員アシルアミノまたはジアシルアミノ含有ヘテロ環式環部分をそれぞれ独立して含む１つ以上の第１の構成繰り返し単位、および
（ｉｉ）第２の構成繰り返し単位であって、それらのそれぞれが１つ以上の第１の構成繰り返し単位とは独立して異なる１つ以上の第２の構成繰り返し単位
を含み、かつ１モル当たり約５００グラム以上の分子量を有する、少なくとも１種のコポリマー、
を含む混合物を第１の温度に加熱する工程と、
（２）工程（１）の混合物に、還元されると銀金属を生成することができる少なくとも１種の銀化合物を添加する工程と、
（３）工程（２）で得られた混合物を第２の温度に加熱し；それにより、銀ナノ構造体を作製する工程と
を含む方法。
【請求項１３】
工程（１）の混合物が、少なくとも１種の酸捕捉剤をさらに含む、請求項１２に記載の方法。
【請求項１４】
第１の温度が、約１３０℃〜約１５５℃である、請求項１２に記載の方法。
【請求項１５】
第２の温度が、約１６０℃〜約１８５℃である、請求項１２に記載の方法。
【請求項１６】
コポリマーの第１の構成繰り返し単位がそれぞれ独立して、ピロリドニル部分またはピロリジンジオニル部分を含み、コポリマーの第２の構成繰り返し単位がそれぞれ独立して、カチオン性部分を含む、請求項１２に記載の方法。
【請求項１７】
コポリマーが、約８０〜１００重量部未満のビニルピロリドンと０超〜約２０重量部のジアリルジメチルアンモニウム塩とを含むモノマー混合物のフリーラジカル重合によって作製されたランダムコポリマーである、請求項１２に記載の方法。
【請求項１８】
少なくとも１種の銀化合物が硝酸銀を含み、少なくとも１種のポリオールがエチレングリコールまたはグリセロールを含み、少なくとも１種の酸捕捉剤がＬｉＯＨ、Ｎａ２Ｓ、Ｃａ（ＯＨ）２、ビシン、またはそれらの混合物を含み、反応混合物に添加される硝酸銀の全量が、反応混合物１リットル当たり１．５×１０−３モル〜約１モルの硝酸銀であり、反応が、反応混合物の重量に基づいて、約０．０１重量％〜約５０重量％のコポリマーの存在下で行われる、請求項１３に記載の方法。
【請求項１９】
酸捕捉剤が、塩基、緩衝剤、またはそれらの混合物を含む、請求項１３に記載の方法。
【請求項２０】
酸捕捉剤が、塩基を含む、請求項１３に記載の方法。
【請求項２１】
塩基が、水酸化物イオンの供給源、硫化物イオンの供給源、またはそれらの混合物を含む、請求項２０に記載の方法。
【請求項２２】
水酸化物イオンの供給源が、アルカリ金属水酸化物、アルカリ土類金属水酸化物、またはそれらの混合物である、請求項２１に記載の方法。
【請求項２３】
酸捕捉剤が、緩衝剤を含む、請求項１３に記載の方法。
【請求項２４】
請求項１２の方法により作製された銀ナノ構造体。
【請求項２５】
（Ａ）請求項１または１２に記載の方法によって作製された銀ナノ構造体；および
（Ｂ）液体媒体；
を含み、
前記液体媒体は、水、（Ｃ１〜Ｃ６）アルカノール、またはそれらの混合物を含む、分散液。
【請求項２６】
（Ａ）請求項２５に記載の分散液の層を基材上に堆積させる工程と、
（Ｂ）液体媒体を前記層から除去する工程と
を含む方法によって作製された導電性コーティング。
【請求項２７】
基材がガラスである、請求項２６に記載の導電性コーティング。
【誤訳訂正書】
【提出日】平成30年6月22日(2018.6.22)
【誤訳訂正１】
【訂正対象書類名】特許請求の範囲
【訂正対象項目名】全文
【訂正方法】変更
【訂正の内容】
【特許請求の範囲】
【請求項１】
少なくとも一つのワークピース（１０）からセラミック硬質材料層を除膜する方法であって、前記ワークピース（１０）が切削工具またはホブであり、前記ワークピース（１０）の表面の一部にセラミック硬質材料層を有し、前記セラミック硬質材料層の下に接着層を有し、
少なくとも１つの電極（２０）が、カソードとして電解液（３０）中に配置されており、
アノードとして作用する前記１つまたは複数のワークピース（１０）の少なくとも一部が、前記電解液（３０）中にも配置されており、
電圧パルスを生成するパルス駆動手段（４０）が、前記１つまたは複数のカソードと前記１つまたは複数のアノードとの間に配置されており、
保護プラグ（５４）およびホルダ（５０）が設けられるようにしてなる、方法であって、
直径および高さが整合するとともに前記ホルダ（５０）に圧入された保護プラグ（５４）に対して、除膜対象の前記ワークピース（１０）を挿入するステップと、
除膜対象の前記ワークピース（１０）を備えた前記ホルダを前記パルス駆動手段（４０）の正極に接触させ、前記ワークピースを前記パルス駆動手段の正極に電気的に接続するステップと、
ｐＨ値が０．５〜−１．１の酸性の電解液（３０）を内蔵する電解槽を選択するステップと、
前記接触したホルダ（５０）を前記選択した電解槽に投入し、少なくとも１つの電極（２０）を前記ホルダ（５０）から所定の距離に配置して、前記パルス駆動手段（４０）の負極に接触させるステップと、
電源から前記ワークピース（１０）に電流を供給し、前記パルス駆動手段（４０）によって前記除膜を行うステップと、
を含み、
連続した端点検出または時間間隔ごとの除膜制御を実行し、前記端点検出が、特定の電流の確立に必要な電圧を測定または決定することを含み、前記電圧の降下が見られた後、前記電圧が再びその元の値に達した場合に端点に達するようにしてなる、方法。
【請求項２】
前記ワークピース（１０）が、複数のワークピース（１０）を受容することによって互いに接触させると同時に、前記被覆されていない材料表面を作用から保護した後、除膜を行うように設計されたホルダ（５０）に挿入されたことを特徴とする、請求項１に記載の方法。
【請求項３】
ｐＨ値が０．５〜−１．１の２〜５０質量％鉱酸を電解液として用いることを特徴とする、請求項１または２に記載の方法。
【請求項４】
電源が、２０Ｖ〜６０Ｖにおいて、電流制御パルスで周波数が１Ｈｚ〜４０Ｈｚ、デューティサイクルが２５％超の矩形パルス形状の単極性である１０Ａ〜５０Ａの電流を供給するように設計されたことを特徴とする、請求項１から３のいずれか１項に記載の方法。
【手続補正書】
【提出日】平成30年3月13日(2018.3.13)
【手続補正１】
【補正対象書類名】特許請求の範囲
【補正対象項目名】全文
【補正方法】変更
【補正の内容】
【特許請求の範囲】
【請求項１】
プロトロンビン（FII）及び活性化第X因子（FXa）を含有する出血性疾患の治療のための組成物であって、該組成物中に存在するFIIがFXa 1モルに対して20,000モル未満である、上記組成物。
【請求項２】
FII及びFXaが血漿由来であるか、又は組換え体である、請求項１記載の組成物。
【請求項３】
患者における出血性疾患の治療のための医薬の製造における使用のための組成物であって、該組成物がプロトロンビン（FII）及び活性化第X因子（FXa）を含有し、該組成物中に存在するFIIがFXa 1モルに対して20,000モル未満である、上記組成物。
【請求項４】
FIIの投与量が約0.44mg/kgであり、FXaの投与量が約826ng/kgである、請求項３記載の使用のための組成物。
【請求項５】
FIIの投与量が約0.2mg/kg〜約1mg/kgであり、FXaの投与量が約560ng/kg〜約1100ng/kgである、請求項３記載の使用のための組成物。
【請求項６】
FIIの投与量が約1.2mg/kg〜約5mg/kgであり、FXaの投与量が約200ng/kg〜約540ng/kgである、請求項３記載の使用のための組成物。
【請求項７】
出血性疾患がＡ型血友病、Ｂ型血友病、フォン・ヴィレブラント病、インヒビターを有する先天性Ａ型血友病又はFVIIIに対する阻害性自己抗体を有する後天性Ａ型血友病、インヒビターを有する先天性Ｂ型血友病又はFIXに対する阻害性自己抗体を有する後天性Ｂ型血友病、外傷による失血、FVII欠乏症、FV欠乏症、FX欠乏症、FXI欠乏症、FXIII欠乏症、フィブリノゲン欠乏症、プロトロンビン欠乏症、希釈性（dilutional）凝固障害、血小板減少症、高リスクの手術による失血、脳出血、フォン・ヴィレブラント因子に対するインヒビターを有するフォン・ヴィレブラント病、又はこれらの組合せである、請求項１〜６のいずれか1項記載の組成物。
【請求項８】
非経口注入、皮下注射、筋肉内注射、又は静脈内注射を介して投与される、請求項１〜７のいずれか1項記載の組成物。
【請求項９】
組成物が医薬組成物である、請求項１〜８のいずれか1項記載の組成物。
【請求項１０】
少なくとも1種の賦形剤を更に含有する、請求項１〜９のいずれか1項記載の組成物。
【請求項１１】
賦形剤が、水、NaCl又は等張性のための他の塩、5％デキストロース水溶液、pH2-8の緩衝溶液、トレハロース、マンニトール、ソルビトール、リン酸塩緩衝剤、酢酸塩緩衝剤、塩又はアミノ酸等の等張化剤、及び界面活性剤ポリオキシエチレン-ソルビタンモノオレエート（TWEEN 80）からなる群より選択される、請求項１０記載の組成物。
【請求項１２】
ヒトプロトロンビン（FII）及び活性化第X因子（FXa）を含有する抗凝固活性の逆転を補助するための組成物であって、該組成物中に存在するFIIがFXa 1モルに対して20,000モル未満である、上記組成物。
【請求項１３】
組成物中に存在するFIIがFXa 1モルに対して500〜10,000モルの範囲である、請求項１又は２記載の組成物。
【手続補正書】
【提出日】平成30年3月2日(2018.3.2)
【手続補正１】
【補正対象書類名】特許請求の範囲
【補正対象項目名】全文
【補正方法】変更
【補正の内容】
【特許請求の範囲】
【請求項１】
実質的に疎水性の酸と；
治療剤であって、プロトン化された該治療剤のｐＫａは該実質的に疎水性の酸のｐＫａより少なくとも約１．０ｐＫａ単位大きい、該治療剤と；
ポリマーであって、ジブロックポリ（乳）酸−ポリ（エチレン）グリコールコポリマー、ジブロックポリ（乳酸−ｃｏ−グリコール酸）−ポリ（エチレン）グリコールコポリマーおよびこれらの組合せから選択される該ポリマーとを含む治療用ナノ粒子であって、ここで、
該治療剤は、１−（４−｛［４−（ジメチルアミノ）ピペリジン−１−イル］カルボニル｝フェニル）−３−［４−（４，６−ジモルホリン−４−イル−１，３，５−トリアジン−２−イル）フェニル］尿素またはその薬学的に許容される塩である、前記治療用ナノ粒子。
【請求項２】
該実質的に疎水性の酸および該治療剤が、該治療用ナノ粒子内で疎水性イオン対を形成している、請求項１に記載の治療用ナノ粒子。
【請求項３】
該治療剤が該ポリマーからなるポリマーマトリックス全体にわたって分散している、請求項１または２に記載の治療用ナノ粒子。
【請求項４】
該実質的に疎水性の酸が、ウンデカン酸、オレイン酸、１−ヒドロキシ−２−ナフトエ酸、ナフタレン−１，５−ジスルホン酸、ナフタレン−２−スルホン酸、パモ酸、ドデシル硫酸、ジオクチルスルホコハク酸およびこれらの組合せからなる群から選択される、請求項１〜３のいずれか１項に記載の治療用ナノ粒子。
【請求項５】
約０．２〜約２０重量パーセントの該治療剤を含む、請求項１〜４のいずれか１項に記載の治療用ナノ粒子。
【請求項６】
約５０〜９９．７５重量パーセントの該ポリマーを含み、約１０〜約３０重量パーセントのポリ（エチレン）グリコールを含む、請求項１〜５のいずれか１項に記載の治療用ナノ粒子。
【請求項７】
約０．０５〜約３０重量パーセントの該実質的に疎水性の酸を含む、請求項１〜６のいずれか１項に記載の治療用ナノ粒子。
【請求項８】
１−（４−｛［４−（ジメチルアミノ）ピペリジン−１−イル］カルボニル｝フェニル）−３−［４−（４，６−ジモルホリン−４−イル−１，３，５−トリアジン−２−イル）フェニル］尿素およびＰＬＡ−ＰＥＧ（モル比１６：５）を約１：７の重量比（治療剤：ＰＬＡ−ＰＥＧ）で含む、請求項１〜４のいずれか１項に記載の治療用ナノ粒子。
【請求項９】
１−（４−｛［４−（ジメチルアミノ）ピペリジン−１−イル］カルボニル｝フェニル）−３−［４−（４，６−ジモルホリン−４−イル−１，３，５−トリアジン−２−イル）フェニル］尿素およびＰＬＡ−ＰＥＧ（モル比１６：５）を約１：５の重量比（治療剤：ＰＬＡ−ＰＥＧ）で含む、請求項１〜４のいずれか１項に記載の治療用ナノ粒子。
【請求項１０】
１−（４−｛［４−（ジメチルアミノ）ピペリジン−１−イル］カルボニル｝フェニル）−３−［４−（４，６−ジモルホリン−４−イル−１，３，５−トリアジン−２−イル）フェニル］尿素およびＰＬＡ−ＰＥＧ（モル比１６：５）を約１：４の重量比（治療剤：ＰＬＡ−ＰＥＧ）で含む、請求項１〜４のいずれか１項に記載の治療用ナノ粒子。
【請求項１１】
該実質的に疎水性の酸と該治療剤のモル比が約０．２５：１〜約２：１である、請求項１〜４のいずれか１項に記載の治療用ナノ粒子。
【請求項１２】
該実質的に疎水性の酸と該治療剤のモル比が約０．２５：１〜約１：１である、請求項１〜４のいずれか１項に記載の治療用ナノ粒子。
【請求項１３】
該実質的に疎水性の酸がパモ酸である、請求項１〜１２のいずれか１項に記載の治療用ナノ粒子。
【請求項１４】
該実質的に疎水性の酸が２つまたはそれ以上の実質的に疎水性の酸の混合物である、請求項１〜１２のいずれか１項に記載の治療用ナノ粒子。
【請求項１５】
標的化リガンドで官能化されたポリ（乳）酸−ポリ（エチレン）グリコールコポリマーもしくはポリ（乳）酸−ｃｏ−ポリ（グリコール）酸−ポリ（エチレン）グリコールコポリマー約０．２〜約３０重量パーセントをさらに含む、請求項１〜１４のいずれか１項に記載の治療用ナノ粒子。
【請求項１６】
標的化リガンドがポリ（エチレン）グリコールに共有結合している、請求項１５に記載の治療用ナノ粒子。
【請求項１７】
該標的化リガンドで官能化されたコポリマーがＰＬＡ−ＰＥＧ−ＧＬであり、ここでＧＬが以下の構造を有する、請求項１５または１６に記載の治療用ナノ粒子：
【化１】
2017508803.tif 000001
。
【請求項１８】
該標的化リガンドが、該治療用ナノ粒子を固形腫瘍に局在化させることができる標的化リガンドである、請求項１５または１６に記載の治療用ナノ粒子。
【請求項１９】
該標的化リガンドが：
２−ＰＭＰＡ、ＧＰＩ５２３２、ＶＡ−０３３、フェニルアルキルホスホンアミデートならびに／またはこれらの類似体および誘導体からなる群から選択されるＰＳＭＡペプチダーゼ阻害剤；
２−ＭＰＰＡおよび３−（２−メルカプトエチル）−１Ｈ−インドール−２−カルボン酸誘導体からなる群から選択されるチオールおよびインドールチオール誘導体；
ヒドロキサメート誘導体；
ＺＪ４３、ＺＪ１１、ＺＪ１７、ＺＪ３８ならびにこれらの類似体および誘導体からなる群から選択されるＰＢＤＡ系および尿素系阻害剤；
アンドロゲン受容体標的化物質（ＡＲＴＡ）；および
プトレシン、スペルミンおよびスペルミジンからなる群から選択されるポリアミド；
グルタミン酸カルボキシラーゼＩＩ（ＧＣＰＩＩ）の阻害剤；
から選択される、請求項１８に記載の治療用ナノ粒子。
【請求項２０】
該標的化リガンドがＧＬである、請求項１８に記載の治療用ナノ粒子。
【請求項２１】
可溶化剤をさらに含む、請求項１〜２０のいずれか１項に記載の治療用ナノ粒子。
【請求項２２】
請求項１〜２１のいずれか１項に記載の治療用ナノ粒子と薬学的に許容される賦形剤とを含む医薬組成物。
【請求項２３】
複数の治療用ナノ粒子を含む、請求項２２に記載の医薬組成物。
【請求項２４】
請求項１７〜２０のいずれか１項に記載の治療用ナノ粒子と薬学的に許容される賦形剤とを含む、前立腺癌、乳癌、非小細胞肺癌、結腸直腸癌および神経膠芽腫からなる群から選択されるＰＳＭＡ関連適応症の治療に用いるための医薬組成物。
【請求項２５】
請求項１に記載の治療用ナノ粒子を製造する方法であって；
第１の有機相と第１の水溶液を合わせて第２の相を形成する工程、
該第２の相を乳化させて、第１のポリマーと治療剤と実質的に疎水性の酸とを含むエマルジョン相を形成する工程；
該エマルジョン相をクエンチし、それによってクエンチ相を形成する工程；および
該クエンチ相を濾過して治療用ナノ粒子を回収する工程
を含み、
該治療剤は、１−（４−｛［４−（ジメチルアミノ）ピペリジン−１−イル］カルボニル｝フェニル）−３−［４−（４，６−ジモルホリン−４−イル−１，３，５−トリアジン−２−イル）フェニル］尿素またはその薬学的に許容される塩であり、
該実質的に疎水性の酸および該治療剤が、該治療用ナノ粒子内で疎水性イオン対を形成している、
前記方法。